【手続補正書】
【提出日】平成24年2月14日(2012.2.14)
【手続補正１】
【補正対象書類名】特許請求の範囲
【補正対象項目名】全文
【補正方法】変更
【補正の内容】
【特許請求の範囲】
【請求項１】
少なくとも
（ａ）ポリアリーレンスルフィド、
（ｂ）スルフィド化剤および
（ｃ）ジハロゲン化芳香族化合物
を有機極性溶媒中で反応させて得られる、少なくともポリアリーレンスルフィド、オリゴアリーレンスルフィド、アルカリ金属ハロゲン化物及び有機極性溶媒を含む反応混合物を、ポリアリーレンスルフィドが溶解せずかつオリゴアリーレンスルフィドが可溶な温度領域で固液分離（Ｂ）に処することを特徴とするポリアリーレンスルフィドとオリゴアリーレンスルフィドの製造方法。
【請求項２】
少なくとも
（ａ）ポリアリーレンスルフィド、
（ｂ）スルフィド化剤および
（ｃ）ジハロゲン化芳香族化合物
を有機極性溶媒中で反応させて得られる、少なくともポリアリーレンスルフィド、オリゴアリーレンスルフィド、アルカリ金属ハロゲン化物及び有機極性溶媒を含む反応混合物を、ポリアリーレンスルフィドが溶解するに足る温度で固液分離（Ａ）に処することでポリアリーレンスルフィド、オリゴアリーレンスルフィド及び有機極性溶媒を含む濾液成分を得て、次いで、前記濾液成分をポリアリーレンスルフィドが溶解しない温度とした後に固液分離（Ｂ）に処することを特徴とするポリアリーレンスルフィドとオリゴアリーレンスルフィドの製造方法。
【請求項３】
固液分離（Ａ）を行う温度が２００℃を越える温度であることを特徴とする請求項２に記載のポリアリーレンスルフィドとオリゴアリーレンスルフィドの製造方法。
【請求項４】
固液分離（Ｂ）で得られたオリゴアリーレンスルフィドを含む濾液成分から、オリゴアリーレンスルフィドを固形分として得ることを特徴とする請求項１から３のいずれかに記載のポリアリーレンスルフィドとオリゴアリーレンスルフィドの製造方法。
【請求項５】
少なくとも（ａ）ポリアリーレンスルフィド、（ｂ）スルフィド化剤および（ｃ）ジハロゲン化芳香族化合物を有機極性溶媒中で反応させる際の有機極性溶媒を、反応混合物中のイオウ成分１モルに対して５０リットル以下として行うことを特徴とする請求項１から４のいずれかに記載のポリアリーレンスルフィドとオリゴアリーレンスルフィドの製造方法。
【請求項６】
少なくとも（ａ）ポリアリーレンスルフィド、（ｂ）スルフィド化剤および（ｃ）ジハロゲン化芳香族化合物を有機極性溶媒中で反応させる際の有機極性溶媒を、反応混合物中のイオウ成分１モルに対して１．２５リットル以上５０リットル以下用いることを特徴とする請求項１から５のいずれかに記載のポリアリーレンスルフィドとオリゴアリーレンスルフィドの製造方法。
【請求項７】
固形分として得たオリゴアリーレンスルフィドが、下記式（１）で表される繰り返し単位数ｍが４〜５０の環式オリゴアリーレンスルフィドを５０重量％以上含むことを特徴とする請求項４から６のいずれかに記載のポリアリーレンスルフィドとオリゴアリーレンスルフィドの製造方法。
【化１】
2009227972.tif 000001
【請求項８】
スルフィド化剤とジハロゲン化芳香族化合物とを有機極性溶媒中で接触させることで得られたポリアリーレンスルフィドを、ポリアリーレンスルフィド（ａ）として用いることを特徴とする請求項１から７のいずれかに記載のポリアリーレンスルフィドとオリゴアリーレンスルフィドの製造方法。
【請求項９】
スルフィド化剤とジハロゲン化芳香族化合物とをスルフィド化剤のイオウ成分１モルに対して１．２５リットル以上５０リットル以下の有機極性溶媒を用いて、加熱して反応させて得られたポリアリーレンスルフィドとオリゴアリーレンスルフィドを含む混合物から、オリゴアリーレンスルフィドを分離することによって得られたポリアリーレンスルフィドをポリアリーレンスルフィド（ａ）として用いることを特徴とする請求項１から７のいずれかに記載のポリアリーレンスルフィドとオリゴアリーレンスルフィドの製造方法。
【請求項１０】
少なくとも、ポリアリーレンスルフィド、スルフィド化剤、ジハロゲン化芳香族化合物、有機極性溶媒からなる反応混合物を、反応混合物中のイオウ成分１モルに対して有機極性溶媒を１．２５リットル以上５０リットル以下用いて加熱して反応させて得られたポリアリーレンスルフィドとオリゴアリーレンスルフィドを含む混合物から、オリゴアリーレンスルフィドを分離することによって得られたポリアリーレンスルフィドをポリアリーレンスルフィド（ａ）として用いることを特徴とする請求項１から７のいずれかに記載のポリアリーレンスルフィドとオリゴアリーレンスルフィドの製造方法。
【請求項１１】
有機極性溶媒が有機アミド溶媒であることを特徴とする請求項１から１０のいずれかに記載のポリアリーレンスルフィドとオリゴアリーレンスルフィドの製造方法。
【請求項１２】
ジハロゲン化芳香族化合物（ｃ）がジクロロベンゼンであることを特徴とする請求項１から１１のいずれかに記載のポリアリーレンスルフィドとオリゴアリーレンスルフィドの製造方法。
【手続補正２】
【補正対象書類名】明細書
【補正対象項目名】発明の名称
【補正方法】変更
【補正の内容】
【発明の名称】ポリアリーレンスルフィドとオリゴアリーレンスルフィドの製造方法
【手続補正３】
【補正対象書類名】明細書
【補正対象項目名】００１３
【補正方法】変更
【補正の内容】
【００１３】
上記課題に対し本発明は、
１．少なくとも
（ａ）ポリアリーレンスルフィド、
（ｂ）スルフィド化剤および
（ｃ）ジハロゲン化芳香族化合物
を有機極性溶媒中で反応させて得られる、少なくともポリアリーレンスルフィド、オリゴアリーレンスルフィド、アルカリ金属ハロゲン化物及び有機極性溶媒を含む反応混合物を、ポリアリーレンスルフィドが溶解せずかつオリゴアリーレンスルフィドが可溶な温度領域で固液分離（Ｂ）に処することを特徴とするポリアリーレンスルフィドとオリゴアリーレンスルフィドの製造方法。
２．少なくとも
（ａ）ポリアリーレンスルフィド、
（ｂ）スルフィド化剤および
（ｃ）ジハロゲン化芳香族化合物
を有機極性溶媒中で反応させて得られる、少なくともポリアリーレンスルフィド、オリゴアリーレンスルフィド、アルカリ金属ハロゲン化物及び有機極性溶媒を含む反応混合物を、ポリアリーレンスルフィドが溶解するに足る温度で固液分離（Ａ）に処することでポリアリーレンスルフィド、オリゴアリーレンスルフィド及び有機極性溶媒を含む濾液成分を得て、次いで、前記濾液成分をポリアリーレンスルフィドが溶解しない温度とした後に固液分離（Ｂ）に処することを特徴とするポリアリーレンスルフィドとオリゴアリーレンスルフィドの製造方法。
３．固液分離（Ａ）を行う温度が２００℃を越える温度であることを特徴とする第２項に記載のポリアリーレンスルフィドとオリゴアリーレンスルフィドの製造方法。
４．固液分離（Ｂ）で得られたオリゴアリーレンスルフィドを含む濾液成分から、オリゴアリーレンスルフィドを固形分として得ることを特徴とする第１項から第３項のいずれかに記載のポリアリーレンスルフィドとオリゴアリーレンスルフィドの製造方法。
５．少なくとも（ａ）ポリアリーレンスルフィド、（ｂ）スルフィド化剤および（ｃ）ジハロゲン化芳香族化合物を有機極性溶媒中で反応させる際の有機極性溶媒を、反応混合物中のイオウ成分１モルに対して５０リットル以下として行うことを特徴とする第１項から第４項のいずれかに記載のポリアリーレンスルフィドとオリゴアリーレンスルフィドの製造方法。
６．少なくとも（ａ）ポリアリーレンスルフィド、（ｂ）スルフィド化剤および（ｃ）ジハロゲン化芳香族化合物を有機極性溶媒中で反応させる際の有機極性溶媒を、反応混合物中のイオウ成分１モルに対して１．２５リットル以上５０リットル以下用いることを特徴とする第１項から第５項のいずれかに記載のポリアリーレンスルフィドとオリゴアリーレンスルフィドの製造方法。
７．固形分として得たオリゴアリーレンスルフィドが、下記式（１）で表される繰り返し単位数ｍが４〜５０の環式オリゴアリーレンスルフィドを５０％以上含むことを特徴とする第４項から第６項のいずれかに記載のポリアリーレンスルフィドとオリゴアリーレンスルフィドの製造方法
【手続補正４】
【補正対象書類名】明細書
【補正対象項目名】００１５
【補正方法】変更
【補正の内容】
【００１５】
８．スルフィド化剤とジハロゲン化芳香族化合物とを有機極性溶媒中で接触させることで得られたポリアリーレンスルフィドを、ポリアリーレンスルフィド（ａ）として用いることを特徴とする第１項から第７項のいずれかに記載のポリアリーレンスルフィドとオリゴアリーレンスルフィドの製造方法。
９．スルフィド化剤とジハロゲン化芳香族化合物とをスルフィド化剤のイオウ成分１モルに対して１．２５リットル以上５０リットル以下の有機極性溶媒を用いて、加熱して反応させて得られたポリアリーレンスルフィドとオリゴアリーレンスルフィドを含む混合物から、オリゴアリーレンスルフィドを分離することによって得られたポリアリーレンスルフィドをポリアリーレンスルフィド（ａ）として用いることを特徴とする第１項から第７項のいずれかに記載のポリアリーレンスルフィドとオリゴアリーレンスルフィドの製造方法。
１０．少なくとも、ポリアリーレンスルフィド、スルフィド化剤、ジハロゲン化芳香族化合物、有機極性溶媒からなる反応混合物を、反応混合物中のイオウ成分１モルに対して有機極性溶媒を１．２５リットル以上５０リットル以下用いて加熱して反応させて得られたポリアリーレンスルフィドとオリゴアリーレンスルフィドを含む混合物から、オリゴアリーレンスルフィドを分離することによって得られたポリアリーレンスルフィドをポリアリーレンスルフィド（ａ）として用いることを特徴とする第１項から第７項のいずれかに記載のポリアリーレンスルフィドとオリゴアリーレンスルフィドの製造方法。
１１．有機極性溶媒が有機アミド溶媒であることを特徴とする第１項から第１０項のいずれかに記載のポリアリーレンスルフィドとオリゴアリーレンスルフィドの製造方法。
１２．ジハロゲン化芳香族化合物（ｃ）がジクロロベンゼンであることを特徴とする第１項から第１１項のいずれかに記載のポリアリーレンスルフィドとオリゴアリーレンスルフィドの製造方法。